(57)【要約】【課題】  広告に関する詳細情報を簡単にその場で取得でき、取得回数や時刻などの履歴情報を記憶し加工して広告効果を計測できるようにすること【解決手段】  広告情報管理システム１は、広告３近傍に貼付されたＲＦＩＤタグ９と、ＲＦＩＤタグを読み取るＲＦＩＤリーダを備えた携帯電話機２と、携帯電話機２とネットワーク８で接続された広告情報管理サーバ６とから構成されている。携帯電話機２でＲＦＩＤタグの情報を読み取り、広告情報管理サーバ６に対応する情報をリクエストすると、広告情報管理サーバ６がデータベースを検索して広告の内容に関連する情報を提供する。このような情報提供を行なった履歴は、履歴情報データベースに記憶され、必要に応じて加工処理が行なわれる。【選択図】  図１
2005215251.tif 000002
【特許請求の範囲】
【請求項１】
広告媒体もしくはその近傍に設けられた無線タグと、当該無線タグに記憶された情報を読み取り可能な携帯情報端末と、当該携帯情報端末とネットワークを介して接続され、前記無線タグに対応する広告情報を記憶した広告情報管理サーバとからなる広告情報管理システムであって、
前記無線タグは、
他の無線タグと区別するための識別情報を記憶し、
前記携帯情報端末は、
前記無線タグに記憶された識別情報を読み取る読取手段と、
当該読取手段が読み取った前記無線タグの識別情報に対応する広告情報を前記広告情報管理サーバに要求する広告情報要求手段と、
当該広告情報要求手段による要求に応じて前記広告情報管理サーバから送信された広告情報を受信する広告情報受信手段と、
当該広告情報受信手段により受信された広告情報を表示する表示手段とを備え、
前記広告情報管理サーバは、
前記無線タグの識別情報に対応する広告情報を予め記憶した広告情報記憶手段と、
前記携帯情報端末から送信された前記広告情報要求を受信する要求受信手段と、
当該要求受信手段が受信した前記広告情報要求に対応する広告情報を前記広告情報記憶手段から抽出する広告情報抽出手段と、
当該広告情報抽出手段が抽出した広告情報を前記携帯情報端末に送信する広告情報送信手段と、
前記要求受信手段が受信した前記広告情報要求の履歴情報を記憶する履歴情報記憶手段とを備えたことを特徴とする広告情報管理システム。
【請求項２】
前記広告情報記憶手段は、前記無線タグにより識別される広告の掲載場所を示す位置情報、当該広告の内容の詳細情報の項目である詳細情報項目、前記広告の内容であるコンテンツ情報の少なくとも１つを記憶していることを特徴とする請求項１に記載の広告情報管理システム。
【請求項３】
前記履歴情報記憶手段は、前記広告情報要求のあった時刻及び当該広告情報要求のあった無線タグの識別情報を記憶することを特徴とする請求項１又は２に記載の広告情報管理システム。
【請求項４】
前記広告情報管理サーバは、
前記履歴情報記憶手段が記憶した履歴情報を加工する履歴情報加工手段を備えたことを特徴とする請求項１乃至３のいずれかに記載の広告情報管理システム。
【請求項５】
前記広告情報管理サーバは、
前記履歴情報を管理する管理端末からの要求に応じて前記履歴記憶手段に記憶された履歴情報を当該管理端末に送信する履歴情報送信手段を備え、
前記管理端末は、
前記広告情報管理サーバに前記履歴情報を要求する履歴情報要求手段と、
当該履歴情報要求手段による要求に応じて前記広告情報管理サーバから送信された履歴情報を受信する履歴情報受信手段と、
当該履歴情報受信手段が受信した履歴情報を加工する履歴情報加工手段とを備えたことを特徴とする請求項１乃至３のいずれかに記載の広告情報管理システム。
【請求項６】
前記履歴情報加工手段は、前記識別情報毎の広告情報要求の頻度、又は前記詳細情報項目毎の広告情報要求の頻度の少なくとも一方を計数することを特徴とする請求項４又は５に記載の広告情報管理システム。
【請求項７】
広告媒体もしくはその近傍に設けられた無線タグに記憶された情報を読み取り可能な携帯情報端末とネットワークを介して接続された広告情報管理サーバであって、
前記無線タグの識別情報に対応する広告情報を予め記憶した広告情報記憶手段と、
前記携帯情報端末から前記無線タグの識別情報に対応する広告情報要求を受信する要求受信手段と、
当該要求受信手段が受信した前記広告情報要求に対応する広告情報を前記広告情報記憶手段から抽出する広告情報抽出手段と、
当該広告情報抽出手段が抽出した広告情報を前記携帯情報端末に送信する広告情報送信手段と、
前記要求受信手段が受信した前記識別情報及び広告情報要求の履歴情報を記憶する履歴情報記憶手段とを備えたことを特徴とする広告情報管理サーバ。
【請求項８】
前記広告情報記憶手段は、前記無線タグにより識別される広告の掲載場所を示す位置情報、当該広告の内容の詳細情報の項目である詳細情報項目、前記広告の内容であるコンテンツ情報の少なくとも１つを記憶していることを特徴とする請求項７に記載の広告情報管理サーバ。
【請求項９】
前記履歴情報記憶手段は、前記広告情報要求のあった時刻及び当該広告情報要求のあった無線タグの識別情報を記憶することを特徴とする請求項７又は８に記載の広告情報管理サーバ。
【請求項１０】
前記履歴情報記憶手段が記憶した履歴情報を加工する履歴情報加工手段を備えたことを特徴とする請求項７乃至９のいずれかに記載の広告情報管理サーバ。
【請求項１１】
前記履歴情報加工手段は、前記識別情報毎の広告情報要求の頻度、又は前記詳細情報項目毎の広告情報要求の頻度の少なくとも一方を計数することを特徴とする請求項１０に記載の広告情報管理サーバ。
【請求項１２】
前記履歴情報を管理する管理端末からの要求に応じて前記履歴記憶手段に記憶された履歴情報を当該管理端末に送信する履歴情報送信手段を備えたことを特徴とする請求項７乃至９のいずれかに記載の広告情報管理サーバ。
【請求項１３】
携帯情報端末から要求された広告情報の履歴情報を記憶した広告情報管理サーバとネットワークを介して接続された管理端末であって、
前記広告情報管理サーバに前記履歴情報を要求する履歴情報要求手段と、
当該履歴情報要求手段による要求に応じて前記広告情報管理サーバから送信された履歴情報を受信する履歴情報受信手段と、
当該履歴情報受信手段が受信した履歴情報を加工する履歴情報加工手段とを備えたことを特徴とする管理端末。
【請求項１４】
前記履歴情報加工手段は、前記携帯情報端末が広告情報を要求した頻度を計数することを特徴とする請求項１３に記載の管理端末。
【発明の詳細な説明】
【技術分野】
【０００１】
本発明は、吊り広告等の広告の詳細情報をユーザの求めに応じて提供する広告情報管理システム、広告情報管理サーバ及び管理端末に関するものである。
【背景技術】
【０００２】
一般に、駅構内や列車内、街頭等には、さまざまな広告が人目を引くように設置されている。このような広告を見た人は、その対象の商品やサービス等に興味を覚え、詳細を知りたいと思ったり、雑誌や書籍等の広告では内容の一部を閲覧したいという希望を持つことがある。このような消費者の希望に応えるため、近時は広告や掲示物等にインターネットのＵＲＬ（Uniform Resource Locators）が記載され、そのＵＲＬにアクセスすることにより詳細情報が得られるようにしていることも多いが、ＵＲＬを入力する手間がかかり、その場ですぐに詳細情報が得られるものではない。
【０００３】
また、広告主の側は、出している広告を見てどの程度の割合の人が実物を購入したりサービスの提供を受けたりしているのかという効果を測りたいが、広告の場所によって見る人の層も違っており、正確に広告効果を解析したり検証したりすることは非常に困難である。
【０００４】
そこで、非接触で情報の書き込みや読み出しが可能な無線タグ等を詳細情報の記憶媒体として利用し、ここから情報を読み出すことも提案されている。例えば、特許文献１には、広告情報を記憶した非接触式ＩＣカードをポスターにとりつけ、携帯情報端末から非接触式ＩＣカードになされるリクエストに応じて広告情報を携帯情報端末に送信する方法が記載されている。また、さらに、特許文献２には、広告媒体に無線タグを添付し、端末装置から送信される電波に応えて記憶されている情報を反射波として送出する情報提供方法が開示されている。
【特許文献１】特開２００２−７２９４１号公報
【特許文献２】特開２００２−２６８５９３号公報
【発明の開示】
【発明が解決しようとする課題】
【０００５】
しかしながら、従来装置においては、広告等の対象物に関する詳細情報や詳細情報へのアクセス回数の計数手段を無線タグ自体に記憶させ、その無線タグを広告媒体に添付する構成であり、無線タグに全てを記憶するものであるため、広告媒体の広告効果を検証するために記憶させた情報を収集したり、記憶させた情報を更新したりする場合、個々の広告媒体の設置場所をまわらねばならず、その収集又は更新のために多大な労力を必要とするのみならず、比較的高価な無線タグが必要となる等の問題点を有するものであった。
【０００６】
本発明は上記問題点を解決するためになされたものであり、広告媒体による広告効果を検証するために記憶させた情報を収集したり更新したりする場合に簡単に対応でき、かつ、安価な無線タグにより実現できる広告情報管理システム、広告情報管理サーバ及び管理端末を提供することを目的とする。
【課題を解決するための手段及び作用効果】
【０００７】
上記目的を達成するために、請求項１に記載の発明は、広告媒体もしくはその近傍に設けられた無線タグと、当該無線タグに記憶された情報を読み取り可能な携帯情報端末と、当該携帯情報端末とネットワークを介して接続され、前記無線タグに対応する広告情報を記憶した広告情報管理サーバとからなる広告情報管理システムであって、前記無線タグは、他の無線タグと区別するための識別情報を記憶し、前記携帯情報端末は、前記無線タグに記憶された識別情報を読み取る読取手段と、当該読取手段が読み取った前記無線タグの識別情報に対応する広告情報を前記広告情報管理サーバに要求する広告情報要求手段と、当該広告情報要求手段による要求に応じて前記広告情報管理サーバから送信された広告情報を受信する広告情報受信手段と、当該広告情報受信手段により受信された広告情報を表示する表示手段とを備え、前記広告情報管理サーバは、前記無線タグの識別情報に対応する広告情報を予め記憶した広告情報記憶手段と、前記携帯情報端末から送信された前記広告情報要求を受信する要求受信手段と、当該要求受信手段が受信した前記広告情報要求に対応する広告情報を前記広告情報記憶手段から抽出する広告情報抽出手段と、当該広告情報抽出手段が抽出した広告情報を前記携帯情報端末に送信する広告情報送信手段と、前記要求受信手段が受信した前記広告情報要求の履歴情報を記憶する履歴情報記憶手段とを備えている。
【０００８】
上記構成によれば、広告媒体もしくはその近傍に無線タグが備えられ、その無線タグに記憶された情報を携帯情報端末で読み取り、その無線タグ情報に対応する広告情報を携帯情報端末から広告情報管理サーバに要求する。広告情報管理サーバでは、携帯情報端末からの要求に応えて、無線タグ情報に対応する広告情報を取り出して携帯情報端末に送信するとともに、携帯情報端末からの広告情報の要求履歴を記憶する。従って、広告媒体もしくはその近傍に付される無線タグには識別情報やＩＤ等の最小限の情報を記憶させ、広告情報管理サーバに詳細な広告情報を用意しておけば、記憶容量の少ない安価な無線タグで実現でき、また、広告情報の更新等にも簡単に対応できる広告情報管理システムを提供することができる。さらに、広告情報を提供した履歴を広告情報管理サーバで記憶しているため、その履歴情報を簡単に取得でき、それらを加工して広告効果を検証する場合にも簡単に利用可能になる。
【０００９】
また、請求項２に記載の発明は、請求項１に記載の発明の構成に加え、前記広告情報記憶手段が、前記無線タグにより識別される広告の掲載場所を示す位置情報、当該広告の内容の詳細情報の項目である詳細情報項目、前記広告の内容であるコンテンツ情報の少なくとも１つを記憶することを特徴とする。このように、広告情報管理サーバに広告の位置情報、広告の詳細情報項目、広告のコンテンツ情報を記憶していれば、無線タグには最小限の情報を記憶させ、かつ、広告の位置情報、広告の詳細情報項目、広告のコンテンツ情報の更新等に簡単に対応できる。
【００１０】
また、請求項３に記載の発明は、請求項１又は２に記載の発明の構成に加え、前記履歴情報記憶手段が、前記広告情報要求のあった時刻及び当該広告情報要求のあった無線タグの識別情報を記憶することを特徴とする。このように、広告情報管理サーバに履歴情報として広告情報要求のあった時刻と当該広告情報要求のあった無線タグの識別情報を記憶しておけば、どの広告情報にいつアクセスがあったかという記録が残るので、これを解析して時刻毎の広告効果の検証に利用することができる。
【００１１】
また、請求項４に記載の発明は、請求項１乃至３のいずれかに記載の発明の構成に加え、前記広告情報管理サーバが、前記履歴情報記憶手段が記憶した履歴情報を加工する履歴情報加工手段を備えたことを特徴とする。このように、広告情報管理サーバに履歴情報加工手段を備えれば、記憶した履歴情報を広告情報管理サーバにおいて加工し、種々の要望に対応した広告効果の検証を実施できる。
【００１２】
また、請求項５に記載の発明は、請求項１乃至３のいずれかに記載の発明の構成に加え、前記広告情報管理サーバが、前記履歴情報を管理する管理端末からの要求に応じて前記履歴記憶手段に記憶された履歴情報を当該管理端末に送信する履歴情報送信手段を備え、前記管理端末は、前記広告情報管理サーバに前記履歴情報を要求する履歴情報要求手段と、当該履歴情報要求手段による要求に応じて前記広告情報管理サーバから送信された履歴情報を受信する履歴情報受信手段と、当該履歴情報受信手段が受信した履歴情報を加工する履歴情報加工手段とを備えたことを特徴とする。このように、広告情報管理サーバとは別の管理端末に備えた履歴情報加工手段にて履歴情報を加工するようにすれば、例えば、その管理端末から広告主自身が自由に履歴情報を加工して広告効果の解析、検証などを即座に実施できる。
【００１３】
また、請求項６に記載の発明は、請求項４又は５に記載の発明の構成に加え、前記履歴情報加工手段が、前記識別情報毎の広告情報要求の頻度、又は前記詳細情報項目毎の広告情報要求の頻度の少なくとも一方を計数することを特徴とする。このように、履歴情報加工手段が、無線タグの識別情報毎の広告情報要求の頻度や詳細情報項目毎の広告情報要求の頻度を計数して履歴情報を加工すれば、広告の設置場所毎の広告効果や項目毎の広告効果を解析できる。
【００１４】
また、請求項７に記載の発明は、広告媒体もしくはその近傍に設けられた無線タグに記憶された情報を読み取り可能な携帯情報端末とネットワークを介して接続された広告情報管理サーバであって、前記無線タグの識別情報に対応する広告情報を予め記憶した広告情報記憶手段と、前記携帯情報端末から前記無線タグの識別情報に対応する広告情報要求を受信する要求受信手段と、当該要求受信手段が受信した前記広告情報要求に対応する広告情報を前記広告情報記憶手段から抽出する広告情報抽出手段と、当該広告情報抽出手段が抽出した広告情報を前記携帯情報端末に送信する広告情報送信手段と、前記要求受信手段が受信した前記識別情報及び広告情報要求の履歴情報を記憶する履歴情報記憶手段とを備えている。
【００１５】
上記構成によれば、広告媒体やその近傍に付けられた無線タグの情報を読み取った携帯情報端末からの要求に応えて、広告情報管理サーバが、その無線タグ情報に対応する広告情報を取り出して携帯情報端末に送信する。従って、広告媒体側に付される無線タグには識別情報やＩＤ等の最小限の情報を記憶させ、広告情報管理サーバに詳細な広告情報を用意しておけば、簡単な構成で利用者にその場で詳細な情報を提供することができる。さらに、広告情報を提供した履歴を広告情報管理サーバで記憶しているため、その履歴情報を簡単に取得でき、それらを加工して広告効果を検証する場合にも簡単に利用可能になる。
【００１６】
また、請求項８に記載の発明は、請求項７に記載の発明の構成に加え、前記広告情報記憶手段が、前記無線タグにより識別される広告の掲載場所を示す位置情報、当該広告の内容の詳細情報の項目である詳細情報項目、前記広告の内容であるコンテンツ情報の少なくとも１つを記憶することを特徴とする。このように、広告情報管理サーバに広告の位置情報、広告の詳細情報項目、広告のコンテンツ情報を記憶していれば、無線タグには最小限の情報を記憶させ、かつ、広告の位置情報、広告の詳細情報項目、広告のコンテンツ情報の更新等に簡単に対応できる。
【００１７】
また、請求項９に記載の発明は、請求項７又は８に記載の発明の構成に加え、前記履歴情報記憶手段が、前記広告情報要求のあった時刻及び当該広告情報要求のあった無線タグの識別情報を記憶することを特徴とする。このように、広告情報管理サーバに履歴情報として広告情報要求のあった時刻と当該広告情報要求のあった無線タグの識別情報を記憶しておけば、どの広告情報にいつアクセスがあったかという記録が残るので、これを解析して時刻毎の広告効果の検証に利用することができる。
【００１８】
また、請求項１０に記載の発明は、請求項７乃至９のいずれかに記載の発明の構成に加え、前記履歴情報記憶手段が記憶した履歴情報を加工する履歴情報加工手段を備えたことを特徴とする。このように、広告情報管理サーバに履歴情報加工手段を備えれば、記憶した履歴情報を広告情報管理サーバにおいて加工し、種々の要望に対応した広告効果の検証を実施できる。
【００１９】
また、請求項１１に記載の発明は、請求項１０に記載の発明の構成に加え、前記履歴情報加工手段が、前記識別情報毎の広告情報要求の頻度、又は前記詳細情報項目毎の広告情報要求の頻度の少なくとも一方を計数することを特徴とする。このように、履歴情報加工手段が、無線タグの識別情報毎の広告情報要求の頻度や詳細情報項目毎の広告情報要求の頻度を計数して履歴情報を加工すれば、広告の設置場所毎の広告効果や項目毎の広告効果を解析できる。
【００２０】
また、請求項１２に記載の発明は、請求項７乃至９のいずれかに記載の発明の構成に加え、前記履歴情報を管理する管理端末からの要求に応じて前記履歴記憶手段に記憶された履歴情報を当該管理端末に送信する履歴情報送信手段を備えたことを特徴とする。このように、広告情報管理サーバとは別の管理端末に備えた履歴情報加工手段に広告情報管理サーバから履歴情報を送信して、管理端末にて履歴情報を加工するようにすれば、例えば、その管理端末から広告主自身が自由に履歴情報を加工して広告効果の解析、検証などを即座に実施できる。
【００２１】
また、請求項１３に記載の発明は、携帯情報端末から要求された広告情報の履歴情報を記憶した広告情報管理サーバとネットワークを介して接続された管理端末であって、前記広告情報管理サーバに前記履歴情報を要求する履歴情報要求手段と、当該履歴情報要求手段による要求に応じて前記広告情報管理サーバから送信された履歴情報を受信する履歴情報受信手段と、当該履歴情報受信手段が受信した履歴情報を加工する履歴情報加工手段とを備えている。
【００２２】
上記構成によれば、広告情報管理サーバに記憶されている履歴情報を要求して受信し、この履歴情報を加工することにより、例えば、その管理端末から広告主自身が自由に履歴情報を加工して広告効果の解析、検証などを即座に実施できる。
【００２３】
また、請求項１４に記載の発明は、請求項１３に記載の発明の構成に加え、前記履歴情報加工手段が、前記携帯情報端末が広告情報を要求した頻度を計数することを特徴とする。このように、履歴情報加工手段が、広告情報要求の頻度を計数して履歴情報を加工すれば、広告の設置場所毎の広告効果を解析できる。
【発明を実施するための最良の形態】
【００２４】
次に本発明を実施するための最良の形態について図面を参照して説明する。まず、本発明を適用した広告情報管理システム１の構成について説明する。図１は広告情報管理システム１の全体概念図である。図２は、広告情報管理システム１を構成する携帯電話機２及びＲＦＩＤタグ９の外観図である。
【００２５】
図１に示すように、広告情報管理システム１は、広告３近傍に貼付された無線タグとしてのＲＦＩＤタグ９と、ＲＦＩＤタグを読み取る読取手段としてのＲＦＩＤリーダを備えた携帯情報端末である携帯電話機２と、携帯電話機２と基地局７を介してネットワーク８で接続された広告情報管理サーバ６とから構成されている。
【００２６】
広告３は、例えば電車やバスの車内などの移動車両中にクリップなどに挟み込まれる形態で設置されている。広告３が設置されるクリップ部からなる広告枠１３には、広告場所を示すＲＦＩＤタグ９が付されている。ＲＦＩＤタグ９には、広告枠１３を識別する場所ＩＤを含むＲＦＩＤタグ９を特定する情報が記憶されている。ＲＦＩＤタグ９に格納されている情報はＲＦＩＤタグリーダ６０によって読み取り可能となっている。尚、広告３は、つり下げられる形状に限らず、車両の壁面やドアに貼られているものであってもよいし、駅の構内や街頭に掲示されているものでも良い。また、ＲＦＩＤタグ９は、広告枠１３でなく、その近傍や、個々の広告３に貼付しても良い。
【００２７】
本発明の携帯情報端末である携帯電話機２には、オプションユニットとしてＲＦＩＤタグリーダ６０が具備されている。ＲＦＩＤタグリーダ６０は、利用者の指示により、若しくは自動的にスキャン電波を発信し、近傍にＲＦＩＤタグが存在する場合には、当該ＲＦＩＤタグから情報を読み取るものである。
【００２８】
一方、広告情報管理サーバ６は、ネットワーク８を介して携帯電話機２の基地局７に接続しており、携帯電話機２からのリクエストに従ってＲＦＩＤタグのタグ情報に対応する広告情報をデータベースから検索して携帯電話機２に送信する。
【００２９】
図２に示すように、携帯電話機２は、送話用のマイク５１と、受話用のスピーカ５２と、表示用の液晶である表示手段としてのＬＣＤ５３と、ボタンスイッチを備えたキー５４と、基地局７との間で電波を授受して無線通信を実行するアンテナ５５とを備えている。さらに、携帯電話機２は、ＲＦＩＤタグ９から読み取ったタグ情報を選択指示するための決定ボタン５６と、ＲＦＩＤ９タグに関する処理メニューを表示させるためのメニューボタン５７と、ＲＦＩＤタグ９から読み取ったタグ情報に関する処理を中断指示するためのキャンセルボタン５８とを備えている。
【００３０】
また、携帯電話機２には、ＲＦＩＤタグ９との間で近距離無線通信を実行してＲＦＩＤタグ９からタグ情報を読み出すＲＦＩＤタグリーダ６０が備えられている。ＲＦＩＤタグリーダ６０は、ＲＦＩＤタグ９との通信を仲介するＲＦＩＤタグリーダ用アンテナ６１と、ＲＦＩＤタグ９との間で送受信するデータを処理する本体であるＲＦＩＤタグリーダユニット６２とから構成されている。
【００３１】
また、図２に示すように、ＲＦＩＤタグ９はいわゆるタグ型形状をしている。ＲＦＩＤタグ９は形状や特性が多様に存在しており、例えば、ラベル形、カード形、コイン形等が存在する。これらの形状はそのＲＦＩＤタグの使用用途によっても異なり、例えば人が持つものは、カード形あるいはラベル形をキーホルダ形状に加工したものが用いられることが多い。また、その大きさも数ｍｍ単位のものから数ｃｍ程度ものまで、各種のサイズのものが存在する。本発明の広告情報管理システムにおいて使用されるＲＦＩＤタグ９は、その形状やサイズは広告主や設計者の任意で自由に設定できるが、少なくとも広告枠１３や広告３等若しくはその近傍に貼付できる小型サイズのものであればよい。
【００３２】
尚、ＲＦＩＤタグ９の通信距離は、１ｍｍ程度のものから５ｍ程度のものまで存在し、システムの用途に最適なものが使用される。本発明の広告情報管理システムにおいて使用されるＲＦＩＤタグ９は、その通信距離においても広告主や設計者の任意で自由に設定すればよいが、少なくとも広告を見ているユーザの携帯電話機２の所持位置から、ＲＦＩＤタグ９が付された広告３が掲げられている位置まで通信可能であればよい。
【００３３】
次に、図３乃至図６を参照して、広告情報管理システム１を構成する携帯電話機２，ＲＦＩＤタグリーダ６０，ＲＦＩＤタグ９，広告情報管理サーバ６の電気的構成について説明する。図３は、携帯電話機２の電気的構成を示すブロック図である。図４は、ＲＦＩＤタグリーダ６０の電気的構成を示すブロック図である。図５は、ＲＦＩＤタグ９の電気的構成を示すブロック図である。図６は、広告情報管理サーバ６の電気的構成を示すブロック図である。尚、図２に示すものと同一の構成には同一の符号を使用し、その詳細な説明は省略してある。
【００３４】
図３に示すように、携帯電話機２は、携帯電話機２全体の動作の制御を司るＣＰＵ１０１と、ＣＰＵ１０１によって実行されるプログラムやＢＩＯＳ等を記憶するＲＯＭ１０２と、各種のデータを一時的に記憶するＲＡＭ１０３とを備えている。
【００３５】
また、携帯電話機２は、マイク５１から入力された音声信号をデジタル化したりデジタルの音声データをアナログ化してスピーカ５２から出力するための音声コーデック部１０４と、音声コーデック部１０４で処理された音声データを転送するために通信方式に応じた手続き処理を行なうベースバンドコントローラ１０５と、アンテナ５５を介して送出する信号を変調したりアンテナ５５を介して受信した高周波信号を復調する無線コントローラ１０６と、キー５４，決定ボタン５６，メニューボタン５７，キャンセルボタン５８からの入力およびＬＣＤ５３への出力を制御するユーザインタフェイスコントローラ１０７と、所定の時間をカウントするタイマ１及びタイマ２からなるタイマ機能及び日時を計測するカレンダ機能を備える日時処理部１０８と、ＲＦＩＤタグリーダ６０と有効に接続するための入出力インタフェイスである拡張Ｉ／Ｏインタフェイス１０９と、携帯電話機２の全体の回路とＲＦＩＤタグリーダ６０とに電力を供給する電源１１０とを備えている。
【００３６】
このような構成によって、携帯電話機２は通常の携帯電話機として無線通信を実行できるとともに、ＲＦＩＤタグリーダ６０と接続されて、ＲＦＩＤタグ９からのタグ情報の読み取りを実行するための携帯情報端末として機能する。尚、本発明における携帯電話機２は、少なくともＲＦＩＤタグ９から読み取ったタグ情報を編集、表示等するための情報端末として機能できればよい。尚、携帯情報端末としては、携帯電話機に限らず、ＰＤＡやノートパソコンなどにＲＦＩＤタグリーダを接続したものを用いることができる。
【００３７】
また、図４に示すように、ＲＦＩＤタグリーダ６０は、ＲＦＩＤタグリーダ６０の全体の駆動を制御するための制御回路２０１と、ＲＦＩＤタグ９へ送信する信号やＲＦＩＤタグ９より受信する信号に関する処理を行なう信号処理回路２０２とを備えている。制御回路２０１及び信号処理回路２０２は、携帯電話機２の拡張Ｉ／Ｏインタフェイス１０９（図３参照）と有効に接続されて、携帯電話機２と各種データの授受が可能に構成されている。そして、ＲＦＩＤタグ９からのタグ情報の読取り時には、ＲＦＩＤタグリーダ６０が読み取ったタグ情報が携帯電話機２へ伝達されて、携帯電話機２にてタグ情報の表示及び選択等が可能となっている。また、ＲＦＩＤタグリーダ６０に電力を供給する電源２５０を備える。
【００３８】
詳細には、ＲＦＩＤタグリーダ６０は、ＲＦＩＤタグ９に対して信号を送信する送信部２１０と、そのＲＦＩＤタグ９からの反射波を受信する受信部２１２とから成り、その送信部２１０は、ＲＦＩＤタグ９に情報を書込むための搬送波を発生させる搬送波発生部２１４と、信号処理回路２０２から供給される信号に基づいて搬送波発生部２１４により発生させられた搬送波を変調する搬送波変調部２２０と、その搬送波変調部２２０により変調された変調波を増幅する変調波増幅部として機能する送信アンプ２２２とを、備えて構成されている。搬送波発生部２１４により発生させられる搬送波は、好適には、ＵＨＦ帯の信号が使用される。送信アンプ２２２の出力は、送受分離器２２４を介してＲＦＩＤタグリーダ用アンテナ６１から出力されて、送信信号としてＲＦＩＤタグ９に送信される。
【００３９】
一方、ＲＦＩＤタグリーダ用アンテナ６１により受信されたＲＦＩＤタグ９からの反射波は、送受分離器２２４を介して受信部２１２に入力されて、反射波を増幅する反射波増幅部として機能する受信アンプ２２１に入力される。その受信部２１２は、ＲＦＩＤタグリーダ用アンテナ６１により受信されたＲＦＩＤタグ９からの反射波と搬送波発生部２１４により発生させられた搬送波とを掛け合わせる第１ミキサ２２６と、その第１ミキサ２２６の出力から必要な帯域の信号のみを取り出すための第１バンドパスフィルタ２２７と、その第１バンドパスフィルタ２２７の出力を増幅して第１リミッタ２３０に供給する第１アンプ２２８とを備えている。
【００４０】
また、搬送波発生部２１４により発生させられた搬送波の位相を９０°ずらす位相変換器２４０を備え、位相変換器２４０により位相がずらされた搬送波とＲＦＩＤタグリーダ用アンテナ６１により受信されたＲＦＩＤタグ９の反射波とを掛け合わせる第２ミキサ２３２と、その第２ミキサ２３２から必要な帯域の信号のみを取り出すための第２バンドパスフィルタ２３３と、その第２バンドパスフィルタ２３３の出力を増幅して第２リミッタ２３６に供給する第２アンプ２３４とを備えている。
【００４１】
第１リミッタ２３０から出力される信号及び第２リミッタ２３６から出力される信号は、信号処理回路２０２に入力されて処理される。また、第１アンプ２２８及び第２アンプ２３４からの出力信号はＲＳＳＩ（Received Signal Strength Indicator）２３８にも入力され、それらの信号の強度を示す信号ＲＳＳＩが信号処理回路２０２に入力されるようになっている。すなわち、本発明におけるＲＦＩＤタグリーダ６０では、いわゆるＩ−Ｑ直交復調によりＲＦＩＤタグ９からの反射波の復調が行われて、ＲＦＩＤタグ９からのタグ情報を取得する。
【００４２】
このような構成によって、ＲＦＩＤタグリーダ６０は、ＲＦＩＤタグ９と無線通信を行って、ＲＦＩＤタグ９への各種情報の書き込みまたはＲＦＩＤタグ９からのタグ情報の読み取りを行なうものであるが、本発明におけるＲＦＩＤタグリーダ６０は、少なくともＲＦＩＤタグ９からのタグ情報の読み取り機能があればよい。すなわち、本発明におけるＲＦＩＤタグリーダ６０は、制御回路２０１及び信号処理回路２０２により一定間隔で供給される所定の問い合わせ信号に基づいて搬送波を送出し、ＲＦＩＤタグ９から返送される反射波を信号処理回路２０２にて復調して、ＲＦＩＤタグ９からのタグ情報を取得できればよい。
【００４３】
また、図５に示すように、ＲＦＩＤタグ９は、ＲＦＩＤタグリーダ６０のＲＦＩＤタグリーダ用アンテナ６１と静電結合して通信を行なうアンテナ部３０１と、そのアンテナ部３０１により受信された搬送波を整流する整流部３０２と、その整流部３０２により整流された搬送波のエネルギを蓄積するための電源部３０３と、アンテナ部３０１により受信された搬送波からクロック信号を抽出して制御部３０７に供給するクロック抽出部３０４と、所定の情報信号を記憶し得る情報記憶部として機能するメモリ部３０５と、アンテナ部３０１に接続された変復調部３０６と、整流部３０２、クロック抽出部３０４、及び変復調部３０６等を介してＲＦＩＤタグ９の作動を制御するための制御部３０７とを、備えて構成されている。この制御部３０７は、ＲＦＩＤタグリーダ６０と通信を行なうことにより上記メモリ部３０５に所定の情報を記憶する制御や、アンテナ部３０１により受信された搬送波を変復調部３０６においてメモリ部３０５に記憶された情報信号に基づいて変調したうえで反射波としてアンテナ部３０１から反射返信する制御等の基本的な制御を実行する。すなわち、本発明におけるＲＦＩＤタグ９は、ＲＦＩＤタグリーダ６０から一定間隔で送信される問い合わせの搬送波を受信したら、メモリ部３０５に記憶するタグ情報を反射波としてアンテナ部３０１から反射返信する。
【００４４】
次に、図６に示すように、広告情報管理サーバ６は、周知のワークステーションの構成からなり、広告情報管理サーバ６の制御を司るＣＰＵ２０が設けられ、ＣＰＵ２０には、ＢＩＯＳ等を記憶したＲＯＭ２１と、各種のデータを一時的に記憶するＲＡＭ２２と、データの受け渡しの仲介を行なうＩ／Ｏインタフェイス４０とが接続されている。Ｉ／Ｏインタフェイス４０には、ネットワーク８を介して携帯電話機２の基地局７と接続するための通信制御を行なう通信制御インタフェイス４１が接続されている。また、Ｉ／Ｏインタフェイス４０には、文字その他を表示するディスプレイ２４を制御するビデオコントローラ２３と、入力装置であるキーボード２６を制御するキーコントローラ２５と、ＣＤ−ＲＯＭ２９を読み込むためのＣＤ−ＲＯＭドライブ２８と、ハードディスク装置３０とが接続されている。ハードディスク装置３０は、ＣＰＵ２０で実行されるプログラムを記憶したプログラム記憶エリア３１、ＲＦＩＤタグ９のタグ情報を記憶したタグ情報データベース３２，コンテンツ情報データベース３６，携帯電話機２からの要求履歴を記憶した履歴情報データベース３８が設けられている。尚、コンテンツ情報データベース３６が本発明の広告情報記憶手段に、履歴情報データベース３８が本発明の履歴情報記憶手段に相当する。
【００４５】
次に、図７乃至９を参照して、広告情報管理システム１における各種情報のデータ構成について説明する。図７は、ＲＦＩＤタグ９からＲＦＩＤタグリーダ６０を介して携帯電話機２へ送信される広告場所情報４００のデータ構成の概念図である。図８は、広告情報管理サーバ６のハードディスク装置３０に設けられているタグ情報データベース３２のデータ構成の概念図である。図９は、広告情報管理サーバ６のハードディスク装置３０に設けられているコンテンツ情報データベース３６のデータ構成の概念図である。図１０は、広告情報管理サーバ６のハードディスク装置３０に設けられている履歴情報データベース３８のデータ構成の概念図である。
【００４６】
図７に示すように、ＲＦＩＤタグ９に記憶されている広告場所情報４００は、広告場所情報４００の属性を示すヘッダー部４１０と、広告場所を識別するためのＩＤ部４２０とから構成されている。ヘッダー部４１０の「０１Ｘ」のうち、「０１」は広告３の車両内での位置（例えば、１両目の車両であること）を示し、「Ｘ」は同じ吊り広告の広告枠（クリップ部）１３に設置される全ての広告３を含んでいること、すなわち、広告枠１３のＩＤであることを示している。ＩＤ部４２０は、そのＲＦＩＤタグ９が付与されている広告枠１３に固有の識別番号である。
【００４７】
次に、図８に示すように、タグ情報データベース３２は、ＲＦＩＤ９を特定するためのタグ情報レコードの集合として構成されており、各レコードを一意に識別するレコード番号３２１，広告場所情報４００に対応する情報である場所ＩＤ３２２，設置場所情報３２３，場所ＩＤに対応するコンテンツの番号であるコンテンツ番号３２６，各コンテンツのタイトルであるタイトル３２７の各項目が登録されている。設置場所情報３２３は、詳細には、設置場所情報３２３１，設置場所情報３２３２，設置場所情報３２３３，設置場所情報３２３４に分けられ、設置場所情報３２３１には路線名が登録される。また、設置場所情報３２３２には列車番号が登録される。また、設置場所情報３２３３には車両番号が登録される。また、設置場所情報３２３４には広告枠１３の番号が登録される。また、各レコードにおいて、１の場所ＩＤについて複数のコンテンツを含む場合には、それに対応するだけの複数のコンテンツ番号とタイトルが登録されている。
【００４８】
次に、図９に示すように、コンテンツ情報データベース３６は、タグ情報データベース３２に登録されているコンテンツ番号に対応するコンテンツの内容が登録されており、コンテンツの番号であるコンテンツ番号３６１，各コンテンツのタイトルであるタイトル３６２，コンテンツの閲覧モード３６３，各閲覧モードの詳細な項目である詳細情報項目３６４，実際のコンテンツ情報であるコンテンツ内容３６５，各コンテンツの料金情報である料金３６６の各項目が登録されている。
【００４９】
次に、図１０に示すように、履歴情報データベース３８は、携帯電話機２から回線接続要求があった場合に、要求された処理を行ない、全ての処理が終了して回線を切断した後に、履歴を記憶しておくものである。履歴情報データベース３８には、回線接続要求があった日時であるアクセス日時３８１、送信されてきた場所ＩＤ情報３８２、コンテンツ番号情報３８３，設定モード情報３８４，選択項目情報３８５，アクセス記事情報３８６の各項目が記憶されるようになっている。
【００５０】
次に、図１１〜図２２を参照して、広告情報管理システム１の動作を説明する。まず、図１１〜図１９を用いて携帯電話機２の動作について説明する。図１１は、携帯電話機２における広告情報取得に関するメインルーチンのフローチャートである。図１２は、図１１のＳ１９で行なわれるタグ情報受信処理のサブルーチンのフローチャートである。図１３は、図１１のＳ２１で行なわれるモード設定処理のサブルーチンのフローチャートである。図１４は、図１１のＳ２３で行なわれるコンテンツ要求処理のサブルーチンのフローチャートである。図１５は、図１１のＳ２５で行なわれるコンテンツ取得処理のサブルーチンのフローチャートである。図１６は、図１５のＳ１１３で行なわれる決済処理のサブルーチンのフローチャートである。図１７は、図１５のＳ１１７で行なわれる実物購入処理のサブルーチンのフローチャートである。図１８は、図１５のＳ１２１で行なわれるダウンロード処理のサブルーチンのフローチャートである。図１９は、図１５のＳ１２３で行なわれる目次情報処理のサブルーチンのフローチャートである。図２０は、携帯電話機２のＬＣＤ５３に表示される場所ＩＤ表示画面の一例を示す図である。図２１は、携帯電話機２のＬＣＤ５３に表示されるタイトル表示画面の一例を示す図である。図２２は、携帯電話機２のＬＣＤ５３に表示される閲覧モード選択画面の一例を示す図である。
【００５１】
図１１に示すように、携帯電話機２において、まず、広告３の近傍にて、ＲＦＩＤタグ９から情報を読み取るために、スキャン電波を送信する（Ｓ１）。そして、ＲＦＩＤタグ９から応答があったか否かを判断する（Ｓ３）。応答がない場合には（Ｓ３：ＮＯ）、所定の時間を経過してタイムアウトになったか否かをさらに判断し（Ｓ５）、タイムアウトでなければ（Ｓ５：ＮＯ）、Ｓ３に戻って再び応答がないか否かを判断する。タイムアウトの場合には（Ｓ５：ＹＥＳ）、Ｓ１に戻って再度スキャン電波を送信する。
【００５２】
ＲＦＩＤタグ９から応答があった場合には（Ｓ３：ＹＥＳ）、応答電波を受信する（Ｓ７）。そして、受信した応答電波から場所ＩＤ情報を分離し（Ｓ９）、ＲＡＭ１０３に一旦格納して（Ｓ１１）、図２０に示すように、ＬＣＤ５３に場所ＩＤを表示する（Ｓ１３）。場所ＩＤは、ＲＦＩＤタグ９から読み取られた広告場所情報４００の内容である。携帯電話機２の近傍に複数のＲＦＩＤタグ９が存在し、ＲＦＩＤタグリーダ６０の読み取り範囲内である場合は、複数の場所ＩＤが表示される。場所ＩＤが表示されることにより、ユーザは関連情報を取得したい目的のＲＦＩＤタグ９を選択することが可能になる。図２０の例では、列車内の広告３付近でユーザが読み取りを行なっており、読み取りの結果、１５番の広告枠と１６番の広告枠のＲＦＩＤタグ９の広告場所情報４００が読み取られ、広告枠番号を表す「15x26458815」と「16x35226543」とが表示されている。
【００５３】
次に、表示された場所ＩＤがユーザによって選択されたか否かを判断する（Ｓ１５）。ユーザは、ＬＣＤ５３の表示に従って、決定ボタン５６を使って関連情報を得たい場所ＩＤとしての広告枠番号を選択する。選択されていない場合には（Ｓ１５：ＮＯ）、Ｓ１３に戻って広告枠番号の表示を継続する。広告枠番号が選択されたら（Ｓ１５：ＹＥＳ）、広告情報管理サーバ６に接続する（Ｓ１７）。そして、広告情報管理サーバ６に対して選択された広告枠番号に対応した場所ＩＤ情報を送信して詳細なタグ情報を受信するタグ情報受信処理を行なう（Ｓ１９）。タグ情報受信処理の詳細は、図１２を参照して後述する。
【００５４】
タグ情報受信処理が終了したら（Ｓ１９）、受信したタグ情報に基づいてコンテンツを閲覧するモードを設定するモード設定処理を行なう（Ｓ２１）。モード設定処理の詳細は、図１３を参照して後述する。
【００５５】
モード設定処理が終了したら（Ｓ２１）、次に、その設定モードを広告情報管理サーバ６に送信してそのモードに沿ったコンテンツの詳細情報項目を広告情報管理サーバ６から取得し、ユーザに選択させる詳細情報項目選択処理を行なう（Ｓ２３）。詳細情報項目選択処理については、図１４を参照して後述する。
【００５６】
詳細情報項目選択処理が終了したら（Ｓ２３）、選択された詳細情報項目に従って広告情報管理サーバ６からコンテンツを取得するコンテンツ取得処理（Ｓ２５）を実行し、その後、このＲＦＩＤタグ９に関する処理を終了する。コンテンツ取得処理の詳細は、図１５〜図１７を参照して後述する。
【００５７】
次に、図１１のＳ１９で実行するタグ情報受信処理の詳細を図１２に基づいて説明する。まず、図１１のＳ１５で選択された場所ＩＤ情報を広告情報管理サーバ６に送信する（Ｓ４１）。これが、この場所ＩＤに対応するタグ情報のリクエストとなる。次に、広告情報管理サーバ６から応答があったか否かを判断する（Ｓ４３）。応答がない場合には（Ｓ４３：ＮＯ）、所定の時間を経過してタイムアウトになったか否かをさらに判断し（Ｓ４５）、タイムアウトでなければ（Ｓ４５：ＮＯ）、Ｓ４３に戻って再び応答がないか否かを判断する。タイムアウトの場合には（Ｓ４５：ＹＥＳ）、Ｓ４１に戻る。
【００５８】
広告情報管理サーバ６から応答があった場合には（Ｓ４３：ＹＥＳ）、広告情報管理サーバ６がタグ情報データベース３２から検索して送信してくるタグ情報を受信する（Ｓ４７）。そして、受信したタグ情報をＲＡＭ１０３に格納する（Ｓ４９）。ここで受信するタグ情報は、広告情報管理サーバ６のタグ情報データベース３２に記憶されているものであり、データの内容は図８に示すように、広告枠番号に対応する設置場所情報、コンテンツ番号、タイトルからなっている。以上でタグ情報受信処理が終了するので、図１１のメインルーチンに戻る。
【００５９】
図１１のＳ２５で実行するモード設定処理について、図１３を参照して説明する。図１３に示すように、まず、タグ情報受信処理において広告情報管理サーバ６から受信し、ＲＡＭ１０３に格納したタグ情報から対象ＲＦＩＤタグ９のコンテンツのタイトルを取り出す（Ｓ６０）。そして、そのタイトルを図２１に示すように、ＬＣＤ５３に表示する（Ｓ６１）。図２１の例では、先に選択された「15x26458815」に対応するコンテンツタイトルである「週刊××」と「映画△△」とが表示されている。
【００６０】
次に、表示されたタイトルがユーザによって選択されたか否かを判断する（Ｓ６３）。選択されていない場合には（Ｓ６３：ＮＯ）、Ｓ６１に戻ってタイトルの表示を継続する。タイトルが選択されたら（Ｓ６３：ＹＥＳ）、選択されたタイトルとそのコンテンツ番号をＲＡＭ１０３に格納する（Ｓ６４）。そして、図２２に示すような閲覧モード選択画面をＬＣＤ５３に表示する（Ｓ６５）。
【００６１】
閲覧モード選択画面は、対象となるコンテンツのタイトルを示した上で、そのコンテンツをどのように閲覧したいかの閲覧モードをユーザが設定できるようになっている。ここで表示される閲覧モードは、本実施形態では「１．目次を見る」、「２。ダウンロード（有料）」、「３．実物を購入」の３種類が用意されている。どのタイトルを選択した場合にも閲覧モードが共通である場合には、携帯電話機２のＲＯＭに記憶されたプログラムに閲覧モードを記憶させておいても良いし、閲覧モードをタイトルによって変化させる場合には、タグ情報データベース３２のレコードに閲覧モード項目を設けて記憶させておき、タグ情報受信処理で受信するように構成してもよい。
【００６２】
次に、表示された閲覧モードの１つがユーザによって選択されたか否かを判断する（Ｓ６７）。選択されていない場合には（Ｓ６７：ＮＯ）、Ｓ６５に戻って閲覧モード設定画面の表示を継続する。閲覧モードが選択されたら（Ｓ６７：ＹＥＳ）、その選択されたモード（設定モード）を広告情報管理サーバ６に送信するために、ＲＡＭ１０３に格納する（Ｓ６９）。そして、図１１のメインルーチンに戻る。
【００６３】
次に、図１１のＳ２３で実行する詳細情報項目選択処理について、図１４を参照して説明する。図１４に示すように、まず、ＲＡＭ１０３に格納したコンテンツ番号と設定モード、例えば、「０１，ダウンロード」、を広告情報管理サーバ６に送信する（Ｓ８１）。これがそのコンテンツ番号と設定モードに対応する詳細情報項目のリクエストとなる。次に、広告情報管理サーバ６から応答があったか否かを判断する（Ｓ８３）。応答がない場合には（Ｓ８３：ＮＯ）、所定の時間を経過してタイムアウトになったか否かをさらに判断し（Ｓ８５）、タイムアウトでなければ（Ｓ８５：ＮＯ）、Ｓ８３に戻って再び応答がないか否かを判断する。タイムアウトの場合には（Ｓ８５：ＹＥＳ）、Ｓ８１に戻る。
【００６４】
広告情報管理サーバ６から応答があった場合には（Ｓ８３：ＹＥＳ）、詳細情報項目を受信する（Ｓ８７）。そして、受信した詳細情報項目をＲＡＭ１０３に格納する（Ｓ８９）。ここで受信する詳細情報項目は、広告情報管理サーバ６のコンテンツ情報データベース３６に記憶されているものであり、送られてくるのは、図９に示すような詳細情報項目３６４の内容である。先の例で、送信したコンテンツ番号と設定モードが「００１，ダウンロード」であれば、「２−１全体ダウンロード」「２−２全コンテンツ外部へ」が送信され、受信される。
【００６５】
次に、格納した詳細情報項目を、ＬＣＤ５３に表示する（Ｓ９１）。そして、表示された詳細情報項目の１つがユーザによって選択されたか否かを判断する（Ｓ９３）。選択されていない場合には（Ｓ９３：ＮＯ）、Ｓ９１に戻って詳細情報項目選択画面の表示を継続する。詳細情報項目が選択されたら（Ｓ９３：ＹＥＳ）、その選択された詳細情報項目を広告情報管理サーバ６に送信するために、ＲＡＭ１０３に格納する（Ｓ９５）。例えば、先の例の２つの詳細項目のうち、「２−２全コンテンツ外部へ」が選択され、格納されたとする。そして、図１１のメインルーチンに戻る。
【００６６】
次に、図１１のＳ２５で実行するコンテンツ取得処理について、図１５〜図１７に基づいて説明する。まず、図１５に示すように、ＲＡＭ１０３に格納したコンテンツ番号と選択項目を広告情報管理サーバ６に送信する（Ｓ１１１）。例えば、先の例では、「００１，２−２全コンテンツ外部へ」が送信される。これがそのコンテンツ番号と選択項目に対応するコンテンツ情報のリクエストとなる。次に、広告情報管理サーバ６から応答があったか否かを判断する（Ｓ１１３）。応答がない場合には（Ｓ１１３：ＮＯ）、所定の時間を経過してタイムアウトになったか否かをさらに判断し（Ｓ１１５）、タイムアウトでなければ（Ｓ１１５：ＮＯ）、Ｓ１１３に戻って再び応答がないか否かを判断する。タイムアウトの場合には（Ｓ１１５：ＹＥＳ）、Ｓ１１１に戻る。
【００６７】
広告情報管理サーバ６から応答があった場合には（Ｓ１１３：ＹＥＳ）、コンテンツ情報を受信する（Ｓ１１７）。そして、受信したコンテンツ情報をＲＡＭ１０３に格納する（Ｓ１１９）。ここで受信するコンテンツ情報は、広告情報管理サーバ６のコンテンツ情報データベース３６に記憶されているものであり、送られてくるのは、図９に示すような、コンテンツ番号と選択項目に対応するコンテンツ内容３６５及び料金３６６のデータである。先の例では、外部機器への送信指示情報とこれにかかる料金情報が送信されてくる。
【００６８】
次に、取得したコンテンツに対する代金の決済処理を行なう（Ｓ１２１）。ここでは、取得できるコンテンツに有料のものも想定しているので、料金の決済を行なう。携帯電話の場合、携帯電話のキャリアに月々通話料金やデータ通信料金を支払う形態となっていることが多いので、その料金に上乗せして支払を行なうのが簡便である。ここでも、課金が行なわれることと、その了承を求めることで決済処理としている。携帯電話機以外の携帯情報端末を用いる場合には、決済処理においてクレジットカードを用いて決済したり、銀行口座からの引き落としを行なうようにしたりする構成が考えられる。決済処理の詳細については図１６を参照して後述する。
【００６９】
決済処理が終了すると（Ｓ１２１）、選択情報項目が雑誌などの媒体、広告に掲載された商品そのもの等の実物の購入か否かを判断する（Ｓ１２３）。実物の購入の場合には（Ｓ１２３：ＹＥＳ）、実物を購入して送付する手続を行なう（Ｓ１２５）。実物購入処理の詳細は、図１７を参照して後述する。
【００７０】
実物の購入でない場合には（Ｓ１２３：ＮＯ）、設定モードが「２．ダウンロード」であるか否かを判断する（Ｓ１２７）。ダウンロードの場合には（Ｓ１２７：ＹＥＳ）、ダウンロード処理を行なう（Ｓ１２９）。ダウンロード処理の詳細は、図１８に基づいて後述する。
【００７１】
ダウンロードでない場合には（Ｓ１２７：ＮＯ）、設定モードとして目次情報が選択されているので、そのコンテンツ内容を取得する目次情報処理を行なう（Ｓ１３１）。そして、図１１のメインルーチンに戻る。目次情報処理の詳細については、図１９を参照して後述する。
【００７２】
次に、図１５のＳ１２１で実行する決済処理の詳細について、図１６を参照して説明する。図１６に示すように、まず、コンテンツの取得にかかる料金情報を、ＲＡＭ１０３に格納されているコンテンツ情報から取り出す（Ｓ１４０）。そして、その料金を表示し、了承を確認させるための決済画面をＬＣＤ５３に表示する（Ｓ１４１）。次に、決済が了承されたか否かを判断する（Ｓ１４３）。了承されなかった場合には（Ｓ１４３：ＮＯ）、図１１のメインルーチンのＳ２１に戻り、モード設定処理からやり直す。了承された場合には（Ｓ１４３：ＹＥＳ）、広告情報管理サーバ６に決済了承情報を送信する（Ｓ１４５）。そして、広告情報管理サーバ６から応答があったか否かを判断し（Ｓ１４７）、応答がない場合には（Ｓ１４７：ＮＯ）、再度決済情報を送信する（Ｓ１４５）。応答があった場合には（Ｓ１４７：ＹＥＳ）、決済が完了した旨の画面をＬＣＤ５３に表示する。そして、図１５のコンテンツ取得処理のルーチンに戻る。
【００７３】
次に、図１５のＳ１２５で実行する実物購入処理の詳細について、図１７を参照して説明する。図１７に示すように、まず、商品名と送付先住所を表示した購入画面をＬＣＤ５３に表示する（Ｓ１７１）。送付先住所は、予め携帯電話キャリアに登録してある自宅住所を既定値として表示するが、変更することもできる。そこで、登録住所に送付するか否かをユーザに選択させる。そして、登録住所に送付するか否かを判断する（Ｓ１７３）。登録住所に送付する場合には（Ｓ１７３：ＹＥＳ）、そのままＳ１７７に進んで、広告情報管理サーバ６に登録先住所に商品を送付するように要求する。登録住所に送付しない場合には（Ｓ１７３：ＮＯ）、送付先住所入力画面をＬＣＤ５３に表示し（Ｓ１７５）、送付先をユーザに入力させる。そして、その送付先住所を広告情報管理サーバ６に送信して商品の送付を要求する（Ｓ１７７）。そして、広告情報管理サーバ６から応答があったか否かを判断し（Ｓ１７９）、応答がない場合には（Ｓ１７９：ＮＯ）、所定の時間を経過してタイムアウトになったか否かをさらに判断し（Ｓ１８１）、タイムアウトでなければ（Ｓ１８１：ＮＯ）、Ｓ１７９に戻って再び応答がないか否かを判断する。タイムアウトの場合には（Ｓ１８１：ＹＥＳ）、Ｓ１７７に戻って再び商品の送付を要求する。広告情報管理サーバ６から応答があった場合には（Ｓ１７９：ＹＥＳ）、購入完了画面をＬＣＤ５３に表示し（Ｓ１８３）、図１５のコンテンツ取得処理のルーチンに戻り、さらに、図１１のメインルーチンに戻って全ての処理を終了する。
【００７４】
次に、図１５のＳ１２９で実行するダウンロード処理の詳細について、図１８に基づいて説明する。まず、図１８に示すように、すでに図１５のＳ１１７で受信したコンテンツ情報にダウンロード情報が含まれており、ダウンロードが完了しているか否かを判断する（Ｓ２０１）。選択された詳細情報項目が「２−１ダウンロード」の場合には、既にコンテンツ情報データベース３６からコンテンツ内容がコンテンツ情報として送信されてきている。ダウンロード済の場合には（Ｓ２０１：ＹＥＳ）、ダウンロードが完了した旨の画面をＬＣＤ５３に表示する（Ｓ２０３）。次に、ダウンロードしたコンテンツをＬＣＤ５３上で閲覧する処理を行なう（Ｓ２０５）。そして、図１５のコンテンツ取得処理のルーチンに戻り、さらに、図１１のメインルーチンに戻って全ての処理を終了する。
【００７５】
ダウンロード済でない場合（Ｓ２０１：ＮＯ）、携帯電話機５に直接ダウンロードではなく、外部機器に広告情報管理サーバ６から送信されることになる。そこで、送信先をメールアドレス又はＦＡＸ番号のいずれかをユーザに選択させる送信先選択画面をＬＣＤ５３に表示する（Ｓ２０６）。指定されたメールアドレスに送信する場合には（Ｓ２０７：ＹＥＳ）、メールアドレスを入力させる入力画面を表示して（Ｓ２０９）、入力を受け付け、入力されたアドレスを広告情報管理サーバ６に送信して、そのアドレスにコンテンツ内容を送信するように要求する（Ｓ２１１）。そして、広告情報管理サーバ６から応答があったか否かを判断し（Ｓ２１３）、応答がなければ（Ｓ２１３：ＮＯ）、再度送信要求を行なう（Ｓ２１１）。応答があれば（Ｓ２１３：ＹＥＳ）、処理完了画面をＬＣＤ５３に表示する（Ｓ２１５）。そして、図１５のコンテンツ取得処理のルーチンに戻り、さらに、図１１のメインルーチンに戻って全ての処理を終了する。
【００７６】
メールアドレスに送信しない場合は（Ｓ２０７：ＮＯ）、ＦＡＸ番号に送信する場合であるから、ＦＡＸ番号を入力させる画面を表示する（Ｓ２１７）。そして、入力されたＦＡＸ番号を受け付け、その番号にコンテンツ内容を送信するように要求する（Ｓ２１９）。そして、広告情報管理サーバ６から応答があったか否かを判断し（Ｓ２２１）、応答がなければ（Ｓ２２１：ＮＯ）、再度送信要求を行なう（Ｓ２１９）。応答があれば（Ｓ２２１：ＹＥＳ）、処理完了画面をＬＣＤ５３に表示する（Ｓ２１５）。そして、図１５のコンテンツ取得処理のルーチンに戻り、さらに、図１１のメインルーチンに戻って全ての処理を終了する。
【００７７】
次に、図１５のＳ１３１で実行する目次情報処理の詳細について、図１９を参照して説明する。図１９に示すように、まず、選択された詳細情報項目が要約の閲覧か否かを判断する（Ｓ２４１）。要約の閲覧の場合は（Ｓ２４１：ＹＥＳ）、既にコンテンツ情報として要約の内容データが受信されているので、それをＬＣＤ５３に表示する（Ｓ２４３）。そして、図１５のコンテンツ取得処理のルーチンに戻り、さらに、図１１のメインルーチンに戻って全ての処理を終了する。
【００７８】
要約の閲覧でない場合は（Ｓ２４１：ＮＯ）、一部のコンテンツのダウンロードになるので、図１８のダウンロード処理のサブルーチンに従って、既にダウンロード済の一部コンテンツを閲覧させたり、指定されたメールアドレスやＦＡＸ番号に一部コンテンツを送信したりする処理を行なう（Ｓ２４５）。そして、図１５のコンテンツ取得処理のルーチンに戻り、さらに、図１１のメインルーチンに戻って全ての処理を終了する。
【００７９】
次に、図２３〜図２６を参照して、広告情報管理サーバ６の動作について説明する。図２３は、広告情報管理サーバ６の広告情報提供処理のメインルーチンのフローチャートである。図２４は、図２３のＳ３０９で行なうタグ情報検索処理のサブルーチンのフローチャートである。図２５は、図２３のＳ３１７で行なう詳細情報項目検索処理のサブルーチンのフローチャートである。図２６は、図２３のＳ３２５で行なうコンテンツ情報検索処理のサブルーチンのフローチャートである。図２７は、広告情報管理サーバ６で実行する履歴情報加工処理のフローチャートである。
【００８０】
図２３に示すように、まず、携帯電話機２から接続要求があったか否かを判断する（Ｓ３０１）。接続要求がない場合は（Ｓ３０１：ＮＯ）、接続要求があるまでＳ３０１の判断を繰り返して待機する。接続要求があった場合には（Ｓ３０１：ＹＥＳ）、回線接続処理を行なう（Ｓ３０３）。そして、携帯電話機２から送信されてきた情報が、タグ情報のリクエストか否かを判断する（Ｓ３０５）。タグ情報のリクエストの場合は（Ｓ３０５：ＹＥＳ）、タグ情報のリクエストの対象となるＲＦＩＤタグの場所ＩＤ情報が送信されてきているので、これを受信する（Ｓ３０７）。次に、その場所ＩＤに対応するタグ情報をタグ情報データベース３２から検索して取り出すタグ情報検索処理を行なう（Ｓ３０９）。タグ情報検索処理の詳細については、図２４を参照して後述する。
【００８１】
タグ情報検索処理（Ｓ３０９）により、携帯電話機２に送信すべきタグ情報が取り出されたら、携帯電話機２にこの取り出されたタグ情報を送信する（Ｓ３１１）。そして、Ｓ３０５に戻る。
【００８２】
一方、携帯電話機２から送信されてきた情報が、タグ情報のリクエストではない場合には（Ｓ３０５：ＮＯ）、設定された閲覧モードの通知であるか否かを判断する（Ｓ３１３）。設定モードの通知である場合には（Ｓ３１３：ＹＥＳ）、携帯電話機２から閲覧対象となるコンテンツの番号を示す情報（コンテンツ番号情報）と設定された閲覧モードを示す情報（設定モード情報）が送信されてきているので、これを受信する（Ｓ３１５）。例えば、受信したコンテンツ番号情報が００１で、設定モード情報が「２．ダウンロード」であるとする。次に、このコンテンツ番号と閲覧モードに対応するコンテンツの詳細情報項目をコンテンツ情報データベース３６から検索して取り出す詳細項目検索処理を行なう（Ｓ３１７）。詳細情報項目検索処理の詳細については、図２５を参照して後述する。
【００８３】
詳細情報項目検索処理（Ｓ３１７）により、携帯電話機２に送信すべき詳細情報項目が取り出されたら、携帯電話機２にこの取り出された詳細情報項目を送信する（Ｓ３１９）。そして、Ｓ３０５に戻る。
【００８４】
一方、携帯電話機２から送信されてきた情報が、設定モードの通知ではない場合には（Ｓ３１３：ＮＯ）、コンテンツ情報のリクエストか否かを判断する（Ｓ３２１）。コンテンツ情報のリクエストの場合には（Ｓ３２１：ＹＥＳ）、携帯電話機２からリクエスト対象のコンテンツ番号情報と選択された詳細情報項目（選択項目情報）が送信されてきているので、これを受信する（Ｓ３２３）。例えば、受信したコンテンツ番号情報が００１で、選択項目情報が「２−２全コンテンツ外部へ」であるとする。次に、このコンテンツ番号と選択項目情報に対応するコンテンツのコンテンツ情報をコンテンツ情報データベース３６から検索して取り出すコンテンツ情報検索処理を行なう（Ｓ３２５）。コンテンツ情報検索処理の詳細については、図２６を参照して後述する。
【００８５】
コンテンツ情報検索処理（Ｓ３２５）により、携帯電話機２に送信すべきコンテンツ内容の情報が取り出されたら、携帯電話機２にこの取り出されたコンテンツ情報を送信する（Ｓ３２７）。そして、Ｓ３０５に戻る。
【００８６】
一方、携帯電話機２から送信されてきた情報が、コンテンツ情報のリクエストでない場合には（Ｓ３２１：ＮＯ）、決済処理のリクエストか否かを判断する（Ｓ３２９）。決済処理のリクエストである場合には（Ｓ３２９：ＹＥＳ）、携帯電話機２から決済するべき料金やユーザの了承の情報（決済情報）が送信されてきているので、これを受信する（Ｓ３３１）。そして、受信した決済情報に基づいて、携帯電話キャリアに課金情報を送信する等の決済処理を行なう（Ｓ３３５）。そして、決済処理が終了したら、決済完了情報を携帯電話機２に対して送信する（Ｓ３３７）。そして、Ｓ３０５に戻る。
【００８７】
携帯電話機２から送信されてきた情報が、決済処理のリクエストでない場合には（Ｓ３２９：ＮＯ）、コンテンツ情報や商品の実物を外部へ送付・送信するリクエストか否かを判断する（Ｓ３３９）。このような外部への送信・送付リクエストの場合は（Ｓ３３９：ＹＥＳ）、携帯電話機２から送信先・送付先情報が送信されてきているので、これを受信する（Ｓ３４１）。そして、受信した情報に基づいて、コンテンツ情報を送信したり、商品を指定住所に送付したりする手続を行なう（Ｓ３４３）。そして、これらの送信・送付処理が終了したら、送信・送付完了情報を携帯電話機２に送信する（Ｓ３４５）。そして、Ｓ３０５に戻る。
【００８８】
携帯電話機２から送信されてきた情報が、外部への送付・送信リクエストでない場合には（Ｓ３３９：ＮＯ）、その他の処理を実行し（Ｓ３４７）、回線切断処理を行なう（Ｓ３４９）。回線切断後、ここまでに処理された接続要求についての場所ＩＤ情報、コンテンツ番号情報、設定モード情報、選択項目情報、アクセス時刻を履歴情報データベースに記憶する（Ｓ３５１）。これによって、アクセス記録が記憶され、後述する履歴情報加工処理で利用することができる。そして、Ｓ３０１に戻る。
【００８９】
次に、図２３のＳ３０９で実行するタグ情報検索処理の詳細について、図２４を参照して説明する。まず、タグ情報データベース３２をオープンする（Ｓ４０１）。以下では、最初のレコードから順に１レコードずつ処理を行なう。まず、タグ情報の１レコード分を読み出す（Ｓ４０３）。次に、携帯電話機２から受信した（図２３，Ｓ３０７）場所ＩＤ情報が、Ｓ４０３で読み出したレコードの場所ＩＤと一致しているか否かを判断する（Ｓ４０９）。一致していない場合には（Ｓ４０９：ＮＯ）、Ｓ４０３に戻って次のレコードの読み出しを行なう。
【００９０】
場所ＩＤ情報が、Ｓ４０３で読み出したレコードの場所ＩＤと一致した場合には（Ｓ４０９：ＹＥＳ）、そのレコードのタグ情報がリクエストされているＲＦＩＤタグ９に対応するのものであるから、そのタグ情報レコードの内容を送信するためにＲＡＭ２２に格納する（Ｓ４１１）。そして、タグ情報データベース３２をクローズし（Ｓ４１３）、図２３のサーバのメインルーチンに戻る。
【００９１】
次に、図２３のＳ３１７で実行する詳細項目検索処理の詳細について、図２５を参照して説明する。まず、コンテンツ情報データベース３６をオープンする（Ｓ４３１）。以下では、最初のレコードから順に１レコードずつ処理を行なう。まず、コンテンツ情報の１レコード分を読み出す（Ｓ４３３）。例えば、図９のコンテンツ情報データベース３６の例では、Ｓ４３３で１行目のレコードの「コンテンツ番号：００１」、「タイトル：週刊○○」、「閲覧モード：１．目次情報」、「詳細情報項目：１−１要約（無料）」「コンテンツ内容：コンテンツ要約情報」、「料金：０円」が読み出される。
【００９２】
次に、コンテンツ情報レコードが終わりか、すなわち、Ｓ４３３で読み出しが行なえなかったか否かを判断する（Ｓ４３５）。コンテンツ情報レコードが終わりの場合には（Ｓ４３５：ＹＥＳ）、コンテンツ情報データベース３６をクローズする（Ｓ４３７）。そして、図２３のサーバのメインルーチンに戻る。
【００９３】
コンテンツ情報レコードが終わりでない場合には（Ｓ４３５：ＮＯ）、図２３のＳ３１５で受信したコンテンツ番号情報が、Ｓ４３３で読み出したレコードのコンテンツ番号と一致しているか否かを判断する（Ｓ４３９）。一致していない場合には（Ｓ４３９：ＮＯ）、Ｓ４３３に戻って次のレコードの読み出しを行なう。
【００９４】
コンテンツ番号情報が、Ｓ４３３で読み出したレコードのコンテンツ番号と一致している場合には（Ｓ４３９：ＹＥＳ）、そのレコードのコンテンツが閲覧の対象となるものであるから、次に、処理中のレコードからモード項目を取り出す（Ｓ４４１）。例えば、先の例では、受信したコンテンツ番号情報が００１であるから、１行目のレコードのコンテンツ番号と一致している。そこで、１行目のレコードのモード項目である「１．目次情報」を取り出す。
【００９５】
次に、ここで取り出したモード項目が、図２３のＳ３１５で受信した設定モード情報と一致しているか否かを判断する（Ｓ４４５）。一致していない場合には（Ｓ４４５：ＮＯ）、Ｓ４３３に戻って次のレコードの読み出しを行なう。先の例では、受信した設定モード情報が「２．ダウンロード」であるから、いま読み出したモード項目「１．目次情報」とは一致しないので、Ｓ４３３に戻り、２行目のレコードを読み出す。
【００９６】
この例では、２巡目、３巡目の処理でも、取り出されるモード項目は「１．目次情報」であるから、Ｓ４４５でＮＯとなり、４巡目の処理で４行目のレコードを読み出すと、モード項目が「２．ダウンロード」であるから、受信した設定モード情報と一致する（Ｓ４４５：ＹＥＳ）。そこで、そのレコードの詳細情報項目の内容である「２−１全体ダウンロード」を送信すべき情報としてＲＡＭ２２に格納する（Ｓ４４７）。そして、Ｓ４３３に戻り、次のレコードの処理を行なう。
【００９７】
次の巡目の処理では、コンテンツ番号情報は読み出したレコードのコンテンツ番号となお一致しており（Ｓ４３９：ＹＥＳ）、取り出したモード項目も「２．ダウンロード」で一致しているので（Ｓ４４５：ＹＥＳ）、そのレコードの詳細情報項目の内容である「２−２全コンテンツ外部へ」を送信すべき情報としてＲＡＭ２２に格納する（Ｓ４４７）。そして、Ｓ４３３に戻り、次のレコードの処理を行なう。ここまでの処理により、送信すべき詳細情報項目として、「２−１全体ダウンロード  ２−２全コンテンツ外部へ」がＲＡＭ２２に格納されたことになる。
【００９８】
次の巡目の処理では、コンテンツ番号情報は読み出したレコードのコンテンツ番号と一致しているが（Ｓ４３９：ＹＥＳ）、Ｓ４４１で取り出したモード項目が「３．実物購入」であり、設定モード情報と一致しないので（Ｓ４４５：ＮＯ）、Ｓ４３３に戻る。
【００９９】
以上のようにして、コンテンツ情報データベース３６の全てのレコードを順に処理し、レコードが終わったら（Ｓ４３５：ＹＥＳ）、コンテンツ情報データベース３６をクローズして（Ｓ４３７）、図２３のサーバのメインルーチンに戻る。
【０１００】
次に、図２３のＳ３２５で実行するコンテンツ情報検索処理の詳細について、図２６を参照して説明する。まず、コンテンツ情報データベース３６をオープンする（Ｓ４６１）。以下では、最初のレコードから順に１レコードずつ処理を行なう。まず、コンテンツ情報の１レコード分を読み出す（Ｓ４６３）。
【０１０１】
図９のコンテンツ情報データベース３６の例では、Ｓ４６３で１行目のレコードの「コンテンツ番号：００１」、「タイトル：週刊○○」、「閲覧モード：１．目次情報」、「詳細情報項目：１−１要約（無料）」「コンテンツ内容：コンテンツ要約情報」、「料金：０円」が読み出される。
【０１０２】
次に、コンテンツ情報レコードが終わりか、すなわち、Ｓ４６３で読み出しが行なえなかったか否かを判断する（Ｓ４６５）。コンテンツ情報レコードが終わりの場合には（Ｓ４６５：ＹＥＳ）、コンテンツ情報データベース３６をクローズする（Ｓ４６７）。そして、図２３のサーバのメインルーチンに戻る。
【０１０３】
コンテンツ情報レコードが終わりでない場合には（Ｓ４６５：ＮＯ）、図２３のＳ３２３で受信したコンテンツ番号情報が、Ｓ４６３で読み出したレコードのコンテンツ番号と一致しているか否かを判断する（Ｓ４６９）。一致していない場合には（Ｓ４６９：ＮＯ）、Ｓ４６３に戻って次のレコードの読み出しを行なう。
【０１０４】
コンテンツ番号情報が、Ｓ４６３で読み出したレコードのコンテンツ番号と一致している場合には（Ｓ４６９：ＹＥＳ）、そのレコードのコンテンツが閲覧の対象となるものであるから、次に、処理中のレコードから詳細情報項目を取り出す（Ｓ４７１）。例えば、先の例では、受信したコンテンツ番号情報が００１であるから、１行目のレコードのコンテンツ番号と一致している。そこで、１行目のレコードの詳細情報項目である「１−１要約（無料）」を取り出す。
【０１０５】
次に、ここで取り出した詳細情報項目が、図２３のＳ３２３で受信した選択項目情報と一致しているか否かを判断する（Ｓ４７５）。一致していない場合には（Ｓ４７５：ＮＯ）、Ｓ４６３に戻って次のレコードの読み出しを行なう。先の例では、受信した選択項目情報が「２−２全コンテンツ外部へ」であるから、いま読み出したモード項目「１−１要約（無料）」とは一致しないので、Ｓ４６３に戻り、２行目のレコードを読み出す。
【０１０６】
この例では、２巡目の処理で取り出される詳細情報項目は「１−２一部コンテンツダウンロード」であり、３巡目の処理で取り出される詳細情報項目は「１−３一部コンテンツ外部へ」であり、４巡目の処理で取り出される詳細情報項目は「２−１全体ダウンロード」であり、どれも選択項目情報である「２−２全コンテンツ外部へ」とは一致しない（Ｓ４７５：ＮＯ）。そこで、Ｓ４６３に戻って、５行目のレコードを読み出す。
【０１０７】
次の巡目の処理では、コンテンツ番号情報は読み出したレコードのコンテンツ番号となお一致しており（Ｓ４６９：ＹＥＳ）、取り出した詳細情報項目も「２−２全コンテンツ外部へ」で一致しているので（Ｓ４７５：ＹＥＳ）、そのレコードのコンテンツの内容である「送付・送信指示情報」を送信すべき情報としてＲＡＭ２２に格納する（Ｓ４７７）。そして、Ｓ４６３に戻り、次のレコードの処理を行なう。
【０１０８】
次の巡目の処理では、コンテンツ番号情報は読み出したレコードのコンテンツ番号と一致しているが（Ｓ４６９：ＹＥＳ）、Ｓ４７１で取り出した詳細情報項目が「３−１雑誌を購入」であり、選択項目情報と一致しないので（Ｓ４７５：ＮＯ）、Ｓ４６３に戻る。
【０１０９】
以上のようにして、コンテンツ情報データベース３６の全てのレコードを順に処理し、レコードが終わったら（Ｓ４６５：ＹＥＳ）、コンテンツ情報データベース３６をクローズして（Ｓ４６７）、図２３のサーバのメインルーチンに戻る。
【０１１０】
次に、図２７を参照して、広告情報管理サーバ６で行なう履歴情報加工処理について説明する。本実施形態では、履歴情報の加工処理としていくつかのメニューが用意されている形態を想定しているが、履歴情報データベース３８は周知のデータベースの構成であるから、これに限られるものではなく、自由に加工することができる。
【０１１１】
まず、コンテンツ毎のアクセス数計数メニューが選択されたか否かを判断する（Ｓ４８１）。コンテンツ毎アクセス数計数であれば（Ｓ４８１：ＹＥＳ）、コンテンツ番号を順に指定してアクセス数のカウント処理を実行する。具体的には、履歴情報データベース３８のコンテンツ番号項目３８３が指定コンテンツ番号に一致するレコードについての数を数えることによりアクセス数をカウントする（Ｓ４８３）。そして、全コンテンツ番号についてカウント処理が終了したか否かを判断する（Ｓ４８５）。全コンテンツについて終了したら（Ｓ４８５：ＹＥＳ）、結果をディスプレイ２４に表示して（Ｓ５０５）、履歴情報加工処理を終了する。まだ終了していなければ（Ｓ４８５：ＮＯ）、Ｓ４８３に戻り、次の指定コンテンツ番号についてアクセス数のカウント処理を行なう。
【０１１２】
上記処理により、例えば１つの広告媒体におけるコンテンツ番号毎のアクセス回数が表示されるため、その広告媒体中のコンテンツ毎のアクセスランキングをグラフ等で表示することによりユーザが簡単にコンテンツ毎の広告効果を把握できる。
【０１１３】
コンテンツ毎アクセス数計数でなければ（Ｓ４８１：ＮＯ）、広告３の数に対するアクセス数の計数か否かを判断する（Ｓ４８７）。通常同じコンテンツの広告３があちこちの車両等に複数枚出されているので、１枚毎のアクセス数を解析するメニューである。対広告数アクセス数計数であれば（Ｓ４８７：ＹＥＳ）、履歴情報データベース３８のコンテンツ番号項目３８３が指定コンテンツ番号に一致するレコードの場所タグＩＤの数をカウントする（Ｓ４８９）。次に、コンテンツ番号項目３８３が指定コンテンツ番号に一致するレコードについての数を数えることによりアクセス数をカウントする（Ｓ４９１）。そして、Ｓ４９１で求めたアクセス数をＳ４８９で求めた場所タグＩＤ数で割る（Ｓ４９３）。これによって、１箇所あたりの平均アクセス数が求められる。そして、全コンテンツ番号について広告数毎のアクセス数が求められたか否かを判断する（Ｓ４９５）。全コンテンツについて終了したら（Ｓ４９５：ＹＥＳ）、それらの結果を一覧としてディスプレイ２４に表示して（Ｓ５０５）、履歴情報加工処理を終了する。まだ終了していなければ（Ｓ４９５：ＮＯ）、Ｓ４８９に戻り、次の指定コンテンツ番号について広告数毎のアクセス数を求める処理を行なう。
【０１１４】
上記により、例えば、同一のコンテンツについての広告媒体を掲示している広告枠の数がまず求められ、次に、そのコンテンツについての総アクセス数が求められるので、総アクセス数を広告枠の数で割ることにより、コンテンツ毎の１広告あたりの平均アクセス数が求められ、それらの結果が一覧として表示される。従って、広告枚数が多いためにアクセスが多いのか、コンテンツの人気が高いためにアクセスが多いのかを峻別して把握することが可能になる。また、複数個のコンテンツ番号を指定できるので、それらのコンテンツ間でのアクセス数等を対比して把握することができる。
【０１１５】
一方、広告数毎のアクセス数を求めるメニューでなければ（Ｓ４８７：ＮＯ）、広告場所ごとのアクセス数対比メニューか否かを判断する（Ｓ４９７）。場所毎のアクセス数対比であれば（Ｓ４９７：ＹＥＳ）、タグ情報データベース３２とつき合わせることにより、抽出したい路線にある場所ＩＤを有するレコードを抽出する（Ｓ４９９）。そして、その場所ＩＤに対するのアクセス数の合計を求める（Ｓ５０１）。以上により路線ごとのアクセス数が求められたので、結果をディスプレイ２４に表示して（Ｓ５０５）、履歴情報加工処理を終了する。
【０１１６】
上記処理においては、指定路線毎のアクセス回数を抽出するようにしたが、例えば列車内の指定広告枠毎にそのアクセス回数を計数するようにしたり、駅毎のアクセス回数を計数するようにすれば、列車内の場所又は駅毎の広告効果を把握することができる。
【０１１７】
場所毎のアクセス数対比でなければ（Ｓ４９７：ＮＯ）、ユーザに指定されたその他の指定の処理を実行し（Ｓ５０３）、その結果をディスプレイ２４に表示して（Ｓ５０５）、履歴情報加工処理を終了する。その他の処理としては、例えば、時間帯によるアクセス数のカウント、同一コンテンツについての広告枠番号毎のアクセス回数やアクセス時刻から広告場所の価値を比較する、等の処理が考えられる。
【０１１８】
以上説明したように、本実施の形態の広告情報管理システム１によれば、広告３に付されたＲＦＩＤタグ９を携帯電話機２から読み取り、これに対応する情報を記憶した広告情報管理サーバに要求し、必要な情報を取り出してその場で閲覧したり、商品を購入したりする消費行動が可能である。そして、このような広告情報を要求した履歴は広告情報管理サーバ６に記憶され、広告主がその履歴情報を加工して広告効果の分析・検証を行なうことができ、次の商品の開発や次回の広告の参考にすることができる。
【０１１９】
尚、上記実施の形態において、図１５のフローチャートのＳ１１１においてコンテンツ番号及び選択項目を送信する携帯電話機２のＣＰＵ１０１が本発明の広告情報要求手段として機能する。また、図１５のフローチャートのＳ１１７においてコンテンツ情報受信処理を実行する携帯電話機２のＣＰＵ１０１が本発明の広告情報受信手段として機能する。また、図２３のフローチャートのＳ３１５でコンテンツ番号情報と設定モード情報を受信し、Ｓ３２３で選択項目情報を受信する広告情報管理サーバ６のＣＰＵ２０が本発明の要求受信手段として機能する。また、図２３のフローチャートのＳ３１７で詳細情報項目検索処理を実行し、Ｓ３２５でコンテンツ情報検索処理を実行する広告情報管理サーバ６のＣＰＵ２０が本発明の広告情報抽出手段として機能する。また、図２３のフローチャートのＳ３１９で詳細情報項目を送信し、Ｓ３２７でコンテンツ情報を送信する広告情報管理サーバ６のＣＰＵ２０が本発明の広告情報送信手段として機能する。また、図２７のフローチャートの履歴情報加工処理を実行する広告情報管理サーバ６のＣＰＵ２０が本発明の履歴情報加工手段として機能する。
【０１２０】
また、本発明は、上記実施形態に限らず、種々の変更が可能である。例えば、上記実施の形態では、履歴情報の加工を広告情報管理サーバ６で行なうように構成しているが、広告情報管理サーバ６と接続された管理端末を設け、この管理端末から広告情報管理サーバ６に履歴情報の送信を要求し、受信した履歴情報を管理端末で加工するように構成してもよい。図２８は、管理端末を設置した場合の広告情報管理システム１のシステム構成図である。図２９は、管理端末５の電気的構成を示すブロック図である。図３０は、本変形例の広告情報管理サーバ６が実行する履歴情報送信処理のフローチャートである。図３１は、管理端末５のフローチャートである。
【０１２１】
図２８に示すように、本変形例の広告情報管理システム１では、広告３に貼付されたＲＦＩＤタグ９と、ＲＦＩＤタグを読み取るＲＦＩＤリーダを備えた携帯電話機２と、携帯電話機２と基地局７を介してネットワーク８で接続された広告情報管理サーバ６と、ネットワーク８を介して広告情報管理サーバ６に接続された管理端末５から構成されている。
【０１２２】
図２９に示すように、管理端末５は、周知のパーソナルコンピュータにより構成されている。管理端末５には、管理端末５の制御を司るＣＰＵ５２０が設けられ、ＣＰＵ５２０には、ＢＩＯＳ等を記憶したＲＯＭ５２１と、各種のデータを一時的に記憶するＲＡＭ５２２と、データの受け渡しの仲介を行なうＩ／Ｏインタフェイス５４０とが接続されている。Ｉ／Ｏインタフェイス５４０には、ネットワーク８を介して広告情報管理サーバ６と接続するための通信制御を行なう通信制御インタフェイス５４１が接続されている。また、Ｉ／Ｏインタフェイス５４０には、文字その他を表示するディスプレイ５２４を制御するビデオコントローラ５２３と、入力装置であるキーボード５２６を制御するキーコントローラ５２５と、ＣＤ−ＲＯＭ５２９を読み込むためのＣＤ−ＲＯＭドライブ５２８と、ＣＰＵ５２０で実行されるプログラムや各種のデータを記憶したハードディスク装置５３０とが接続されている。
【０１２３】
次に、図３０を参照して、広告情報管理サーバ６が実行する履歴情報送信処理について説明する。まず、管理端末５から接続要求があったか否かを判断する（Ｓ５２１）。接続要求がない場合には（Ｓ５２１：ＮＯ）、接続要求がされるまでＳ５２１を繰り返して待機する。接続要求があった場合には（Ｓ５２１：ＹＥＳ）、管理端末５から履歴情報要求を受信する（Ｓ５２２）。ここで受信する履歴情報要求には、要求される履歴情報の抽出条件、例えば、アクセス日時の期間、場所の指定等、が含まれるので、この条件に沿った履歴情報を履歴情報データベース３８から抽出する（Ｓ５２３）。履歴情報データベース３８は、周知のデータベースの構成であるから、周知の方法で所望のデータを抽出できる。次に、Ｓ５２３で抽出された履歴情報を管理端末５に送信する（Ｓ５２５）。そして、管理端末５との回線を切断し（Ｓ５２７）、処理を終了する。
【０１２４】
次に、図３１を参照して、管理端末５の処理について説明する。まず、広告情報管理サーバ６に履歴情報の送信を要求するか否かを判断する（Ｓ５４０）。履歴情報を要求しない場合には（Ｓ５４０：ＮＯ）、Ｓ５５７に進んで履歴情報の加工を行なうか否かを判断する。履歴情報を要求する場合には（Ｓ５４０：ＹＥＳ）、広告情報管理サーバ６に回線接続要求を発信する（Ｓ５４１）。そして、サーバから応答があったか否かを判断する（Ｓ５４３）。応答がない場合には（Ｓ５４３：ＮＯ）、所定の時間を経過してタイムアウトになったか否かをさらに判断し（Ｓ５４５）、タイムアウトでなければ（Ｓ５４５：ＮＯ）、Ｓ５４３に戻って再び応答がないか否かを判断する。タイムアウトの場合には（Ｓ５４５：ＹＥＳ）、Ｓ５４１に戻って再度広告情報管理サーバ６に回線接続要求を発信する。
【０１２５】
広告情報管理サーバ６から応答があった場合には（Ｓ５４３：ＹＥＳ）、広告情報管理サーバ６に履歴情報の送信を要求する（Ｓ５４７）。ここでは、広告情報管理サーバ６に対して、履歴情報データベース３８に記憶されているすべての履歴情報を送信するように要求しても良いし、各種の条件（アクセス期間の指定、広告３の場所の指定、広告コンテンツの指定等）を送信してフィルタリングされた履歴情報を送信するように要求しても良い。
【０１２６】
次に、サーバから応答があったか否かを判断する（Ｓ５４９）。応答がない場合には（Ｓ５４９：ＮＯ）、所定の時間を経過してタイムアウトになったか否かをさらに判断し（Ｓ５５１）、タイムアウトでなければ（Ｓ５５１：ＮＯ）、Ｓ５４９に戻って再び応答がないか否かを判断する。タイムアウトの場合には（Ｓ５５１：ＹＥＳ）、Ｓ５４７に戻って再度広告情報管理サーバ６に履歴情報の送信を要求する。
【０１２７】
広告情報管理サーバ６から応答があった場合には（Ｓ５４９：ＹＥＳ）、広告情報管理サーバ６が履歴情報データベース３８から検索して送信してくる履歴情報を受信する（Ｓ５５３）。そして、受信した履歴情報をＲＡＭ２２又はハードディスク装置５３０に格納する（Ｓ５５５）。次に、受信し格納した履歴情報を加工するか否かを判断する（Ｓ５５７）。履歴情報を要求しない場合も（Ｓ５４０：ＮＯ）同様である。履歴情報を要求せずに加工のみ行なう場合は、以前に受信してハードディスク装置５３０に保存されている履歴情報を加工することになる。
【０１２８】
履歴情報を加工する場合には（Ｓ５５７：ＹＥＳ）、履歴情報加工処理に進む（Ｓ５５９）。履歴情報加工処理の詳細は、前述した実施の形態で広告情報管理サーバ６において履歴情報加工処理を実行する場合と同様である（図２７）ので、説明を省略する。履歴情報の加工を行なわない場合には（Ｓ５５７：ＮＯ）、全体の処理を終了する。
【０１２９】
以上説明したように、本変形例の広告情報管理システム１によれば、前述の実施形態同様に、広告３に付されたＲＦＩＤタグ９を携帯電話機２から読み取り、これに対応する情報を記憶した広告情報管理サーバに要求し、必要な情報を取り出してその場で閲覧したり、商品を購入したりする消費行動が可能である。そして、このような広告情報を要求した履歴は広告情報管理サーバ６に記憶される。さらに、広告主の側では、管理端末５を用いて広告情報管理サーバ６から必要な履歴情報を受信し、加工して広告効果の分析・検証を行なうことができ、次の商品の開発や次回の広告の参考にすることができる。
【０１３０】
尚、上記変形例において、図２９のフローチャートの履歴情報送信処理を実行する広告情報管理サーバ６のＣＰＵ２０が本発明の履歴情報送信手段として機能する。また、図３１のＳ５４７で広告情報管理サーバ６に履歴情報の送信を要求する管理端末５のＣＰＵ５２０が本発明の履歴情報要求手段として、Ｓ５５３で履歴情報を受信する管理端末５のＣＰＵ５２０が本発明の履歴情報受信手段として機能する。さらに、図３１のＳ５５９で履歴情報加工処理を実行する管理端末５のＣＰＵ５２０が本発明の履歴情報加工手段として機能する。
【図面の簡単な説明】
【０１３１】
【図１】広告情報管理システム１の全体概念図である。
【図２】広告情報管理システム１を構成する携帯電話機２及びＲＦＩＤタグ９の外観図である。
【図３】携帯電話機２の電気的構成を示すブロック図である。
【図４】ＲＦＩＤタグリーダ６０の電気的構成を示すブロック図である。
【図５】ＲＦＩＤタグ９の電気的構成を示すブロック図である。
【図６】広告情報管理サーバ６の電気的構成を示すブロック図である。
【図７】ＲＦＩＤタグ９からＲＦＩＤタグリーダ６０を介して携帯電話機２へ送信される広告場所情報４００のデータ構成の概念図である。
【図８】広告情報管理サーバ６の、ハードディスク装置３０に設けられている、タグ情報データベース３２のデータ構成の概念図である。
【図９】広告情報管理サーバ６の、ハードディスク装置３０に設けられている、コンテンツ情報データベース３６のデータ構成の概念図である。
【図１０】広告情報管理サーバ６の、ハードディスク装置３０に設けられている、履歴情報データベース３８のデータ構成の概念図である。
【図１１】携帯電話機２における広告情報取得に関するメインルーチンのフローチャートである。
【図１２】図１１のＳ１９で行なわれるタグ情報受信処理のサブルーチンのフローチャートである。
【図１３】図１１のＳ２１で行なわれるモード設定処理のサブルーチンのフローチャートである。
【図１４】図１１のＳ２３で行なわれるコンテンツ要求処理のサブルーチンのフローチャートである。
【図１５】図１１のＳ２５で行なわれるコンテンツ取得処理のサブルーチンのフローチャートである。
【図１６】図１５のＳ１１３で行なわれる決済処理のサブルーチンのフローチャートである。
【図１７】図１５のＳ１１７で行なわれる実物購入処理のサブルーチンのフローチャートである。
【図１８】図１５のＳ１２１で行なわれるダウンロード処理のサブルーチンのフローチャートである。
【図１９】図１５のＳ１２３で行なわれる目次情報処理のサブルーチンのフローチャートである。
【図２０】携帯電話機２のＬＣＤ５３に表示される場所ＩＤ表示画面の一例を示す図である。
【図２１】携帯電話機２のＬＣＤ５３に表示されるタイトル表示画面の一例を示す図である。
【図２２】携帯電話機２のＬＣＤ５３に表示される閲覧モード選択画面の一例を示す図である。
【図２３】広告情報管理サーバ６の広告情報提供処理のメインルーチンのフローチャートである。
【図２４】図２３のＳ３０９で行なうタグ情報検索処理のサブルーチンのフローチャートである。
【図２５】図２３のＳ３１７で行なう詳細情報項目検索処理のサブルーチンのフローチャートである。
【図２６】図２３のＳ３２５で行なうコンテンツ情報検索処理のサブルーチンのフローチャートである。
【図２７】広告情報管理サーバ６で実行する履歴情報加工処理のフローチャートである。
【図２８】管理端末を設置した場合の広告情報管理システム１のシステム構成図である。
【図２９】管理端末５の電気的構成を示すブロック図である。
【図３０】広告情報管理サーバ６が実行する履歴情報送信処理のフローチャートである。
【図３１】管理端末５のフローチャートである。
【符号の説明】
【０１３２】
１      広告情報管理システム
２      携帯電話機
３      吊り広告
５      管理端末
６      広告情報管理サーバ
８      ネットワーク
９      ＲＦＩＤタグ
２０      ＣＰＵ
２２      ＲＡＭ
３０      ハードディスク装置
３２      タグ情報データベース
３６      コンテンツ情報データベース
３８      履歴情報データベース
５３      ＬＣＤ
５４      キー
６０      タグリーダ
１０１      ＣＰＵ
１０２      ＲＯＭ
１０３      ＲＡＭ
２１０      送信部
２１２      受信部
５２０      ＣＰＵ
５２２      ＲＡＭ
【図１】
2005215251.tif 000003
【図２】
2005215251.tif 000004
【図３】
2005215251.tif 000005
【図４】
2005215251.tif 000006
【図５】
2005215251.tif 000007
【図６】
2005215251.tif 000008
【図７】
2005215251.tif 000009
【図８】
2005215251.tif 000010
【図９】
2005215251.tif 000011
【図１０】
2005215251.tif 000012
【図１１】
2005215251.tif 000013
【図１２】
2005215251.tif 000014
【図１３】
2005215251.tif 000015
【図１４】
2005215251.tif 000016
【図１５】
2005215251.tif 000017
【図１６】
2005215251.tif 000018
【図１７】
2005215251.tif 000019
【図１８】
2005215251.tif 000020
【図１９】
2005215251.tif 000021
【図２０】
2005215251.tif 000022
【図２１】
2005215251.tif 000023
【図２２】
2005215251.tif 000024
【図２３】
2005215251.tif 000025
【図２４】
2005215251.tif 000026
【図２５】
2005215251.tif 000027
【図２６】
2005215251.tif 000028
【図２７】
2005215251.tif 000029
【図２８】
2005215251.tif 000030
【図２９】
2005215251.tif 000031
【図３０】
2005215251.tif 000032
【図３１】
2005215251.tif 000033